(57)【要約】      （修正有）【課題】インバータ回路の出力側のノイズを低減することのできる電力変換装置を提供する。【解決手段】昇圧用のスイッチ素子３２を周期的にオンオフ動作させて太陽電池の出力電圧を昇圧し、複数のインバータ用のスイッチ素子４１〜４４を夫々周期的にオンオフ動作させて直流電力を系統に同期した交流電力に変換して系統へ重畳する電力変換装置において、昇圧用のスイッチ素子３２の周期的なオンオフ動作を制御する第１パルス信号Ｓ１の周期よりもインバータ用のスイッチ素子４１〜４４の周期的なオンオフ動作を制御する第２パルス信号Ｓ２ａ、Ｓ２ｂの周期を短くする。【選択図】図２
2015188299.tif 000002
【特許請求の範囲】
【請求項１】
第１の周波数の夫々の周期内でオンデューティを変化させたオン／オフ信号を生成し、
当該オン／オフ信号で１つ以上の昇圧用のスイッチ素子を駆動して直流電力を目標電圧ま
で昇圧する昇圧回路と、第２の周波数の搬送波、及び系統の周波数に同期する変調波を基
にＰＷＭ（Ｐｕｌｓｅ  Ｗｉｄｔｈ  Ｍｏｄｕｌａｔｉｏｎ）方式に基づくオン／オフ信
号を生成し、当該オン／オフ信号で複数のインバータ用のスイッチ素子を駆動して前記昇
圧回路で昇圧された直流電力を交流電力に変換するインバータ回路とを単一の筐体内に収
納すると共に、前記インバータ回路で変換された交流電力が流れかつ前記筐体に取り付け
られるフィルター用のコイル、前記昇圧用のスイッチ素子の駆動で電流が間欠的に流れか
つ前記筐体に取り付けられる昇圧用のコイル、及び第１の周波数より第２の周波数を高く
する制御部を備えることを特徴とする電力変換装置。
【請求項２】
前記制御部は、第１の周波数よりも第２の周波数を高くする第１モードと第１の周波数と
第２の周波数とを実質的に同じにする第２モードとを有し、第２モードの際の第１の周波
数及び第２の周波数を第１モードの際の第２の周波数も高くすることを特徴とする請求項
１に記載の電力変換装置。
【発明の詳細な説明】
【技術分野】
【０００１】
本発明は、直流電力を昇圧した後交流電力に変換する電力変換装置に関するものである。
【背景技術】
【０００２】
太陽電池、風力発電、地熱発電、波動発電などの自然エネルギーに基づく直流電力、及び
蓄電池、燃料電池などから出力される直流電力を昇圧回路により昇圧し、この昇圧された
直流電力をインバータ回路で商用電力系統に同期する交流電力に変換した後、この交流電
力を商用電力系統へ重畳する電力変換装置が提供されている。  
【０００３】
昇圧回路はスイッチ素子を周期的にオンオフ動作させ、電流をコイルに間欠通電すること
によって直流電力を昇圧する。例えば、チョッパ型の昇圧回路やトランスを用いた絶縁型
の昇圧回路などがある。インバータ回路は直流電力を交流電力に変換するものであり、例
えば複数のスイッチ素子を単相または多相ブリッジ状に接続して構成されるものがある。
インバータ回路の夫々のスイッチ素子をパルス幅変調（ＰＷＭ：Ｐｕｌｓｅ  Ｗｉｄｔｈ
Ｍｏｄｕｌａｔｉｏｎ）方式に基づいて周期的にオンオフ動作させることにより直流電
力を疑似正弦波に変換する。この疑似正弦波はフィルタ回路を通して高周波成分が減衰さ
れて正弦波状に成形された後商用電力系統へ重畳される。  
【０００４】
特許文献１では、インバータ回路のスイッチ素子を周期的にオンオフ動作させる際の周波
数に、変換された交流出力電流の瞬時値が閾値以下の零付近（電気角で０度及び１８０度
付近）では２０ＫＨｚ程度の高い値を用い、それ以外では１５ＫＨｚ程度に低くする電力
変換装置が提案されていた。これにより、交流出力電流の瞬時値が閾値以上の範囲ではス
イッチ素子をオンオフ動作させる周波数が低くなっている。従って、１周期内でオンオフ
動作させる際の周波数を変え、スイッチ素子のオンオフ回数を１周期当たり８８回減少さ
せ、その分インバータ回路でのスイッチング損失を抑えることができるものであった。
【先行技術文献】
【特許文献】
【０００５】
【特許文献１】特開２０１３−５５７９４号公報
【発明の概要】
【発明が解決しようとする課題】
【０００６】
しかしながら、一般にスイッチ素子をオンオフ動作させる際に、このオンオフ動作の周波
数が可聴域内であれば騒音となって周囲に放出される。人の可聴域は約２０ＫＨｚ程度ま
でとされており、この可聴域には年齢及び個人差があるが高い周波数ではモスキート音と
呼ばれる不快な騒音になる。尚、周波数が２０ＫＨｚ程度で放出される騒音は、通常可聴
域を超えるため利用者は聞き取りにくく騒音抑制につながる。特許文献１に記載のもので
は、２０ＫＨｚの周波数と１５ＫＨｚの周波数とを組み合わせることにより、２０ＫＨｚ
の周波数を用いる範囲では騒音の抑制効果が期待できるが、反面スイッチング損失は増加
する。また１５ＫＨｚの周波数を用いる範囲が多く、この周波数での騒音は抑制されず静
音性を求める一般家庭には不向きなものであった。  
【０００７】
また、電力変換装置に人が近づいたことを感知した際にスイッチ素子のオンオフ周波数を
一時的に上げるものがあったが、可聴域の個人差を加味すると一律に周波数を変えただけ
ではスイッチング損失と静音性との両立は難しいものであった。  また、騒音はスイッチ
素子をオンオフさせた際に、電流がコイルへ間欠通電された際のコイルの振動に起因する
ものでありその振動の周波数はスイッチ素子をオンオフさせる周波数に基づく。コイルの
振動を抑制するためにコイル自体を樹脂等でモールドする対策が取られているが、コイル
を筐体に取り付けていれば微小な振動でもこの筐体を介して振動が増幅され騒音となって
放射される。本願発明は、このような問題に鑑みてなされた発明であり、電力変換装置か
ら放射されるノイズを全体的に減少させるものを提供することを目的とする。
【課題を解決するための手段】
【０００８】
本発明の電力変換装置は、第１の周波数の夫々の周期内でオンデューティを変化させたオ
ン／オフ信号を生成し、当該オン／オフ信号で１つ以上の昇圧用のスイッチ素子を駆動し
て直流電力を目標電圧まで昇圧する昇圧回路と、第２の周波数の搬送波、及び系統の周波
数に同期する変調波を基にＰＷＭ方式に基づくオン／オフ信号を生成し、当該オン／オフ
信号で複数のインバータ用のスイッチ素子を駆動して前記昇圧回路で昇圧された直流電力
を交流電力に変換するインバータ回路とを単一の筐体内に収納すると共に、前記インバー
タ回路で変換された交流電力が流れかつ前記筐体に取り付けられるフィルタ用のコイル、
前記昇圧用のスイッチ素子の駆動で電流が間欠的に流れかつ前記筐体に取り付けられる昇
圧用のコイル、及び第１の周波数より第２の周波数を高くする制御部を備えるものである
。
【発明の効果】
【０００９】
昇圧回路とインバータ回路とを有する本発明の電力変換装置では、インバータ回路の出力
側のノイズを抑えた電力変換装置を提供する。
【図面の簡単な説明】
【００１０】
【図１】本実施例の電力変換装置を示す図である。
【図２】制御回路の制御ブロックを示す図である。
【図３】スイッチ素子のタイムチャートを示す図である。
【図４】本実施例の操作部を示す図である。
【発明を実施するための形態】
【００１１】
本実施形態では、インバータ回路のスイッチ素子のスイッチング周期を、昇圧回路のスイ
ッチ素子のスイッチング周期より短くすることにより、インバータ回路の出力側のノイズ
抑制効果を得ることができる。
【実施例１】
【００１２】
図１に示すように、電力変換装置１は太陽電池８に接続されており、太陽電池８の出力す
る直流電力を商用電力系統２と同期する交流電力に変換し、この交流電力を商用電力系統
へ重畳する。  
【００１３】
電力変換装置１は、昇圧回路３、インバータ回路４、フィルタ回路５、制御回路（制御部
）６、及び操作部７を備えている。  
【００１４】
昇圧回路３は、直流リアクトル（昇圧用のリアクトル）３１、昇圧用のスイッチ素子３２
、ダイオード３３、及びコンデンサ３４を用いて非絶縁型のチョッパ（チョークコンバー
タ）回路を構成している。直流リアクトル３１は所定のインダクタンスを持つようにコア
材に巻かれたコイルであり、筐体（図示せず。またこの筐体は、アルミダイキャストや鉄
板の板金加工により構成される箱状の筐体であり、家屋の壁面や架台に取り付けられる。
）に熱伝導性（放熱性）をもって取り付けられている。尚、直流リアクトル３１はヒート
シンク部へ取り付ける構成であっても良いものである。従って、直流リアクトル３１は筐
体やヒートシンク部へ放熱を成すことができると共に、振動も筐体やヒートシンク部へ伝
達する。尚、昇圧回路３はチョッパ回路に限るものではなく、トランスの１次側のコイル
への通電を間欠制御して昇圧する絶縁型フォワードコンバータ回路や電流形昇圧回路など
を用いても良い。当該回路で複数のスイッチ素子を用いてトランスの１次側をハーフブリ
ッジ型またはフルブリッジ型と成すこともできる。トランスの２次側には整流回路を用い
る。  
【００１５】
直流リアクトル３１の一端とダイオードの一端（アノード側）が接続され、この接続点に
第１のスイッチ素子（昇圧用のスイッチ素子）３２の一端が接続されている。直流リアク
トル３１の他端が太陽電池８の正極側に接続され、スイッチ素子３２の他端が太陽電池８
の負極側に接続されている。  
【００１６】
コンデンサ３４は、ダイオード３３の他端（カソード側）と太陽電池８の負極側（第１ス
イッチ素子３２の他端）に接続されている。スイッチ素子３２が周期的にオンオフ動作す
ることにより太陽電池８から出力される直流電流が直流リアクトル３１へ間欠通電され直
流電力の電圧が昇圧される。コンデンサ３４ではスイッチ素子３２をオンオフする際の周
波数に起因する高周波成分を減衰（平滑）している。コンデンサ３４の出力（直流電力）
はインバータ回路４へ供給される。昇圧回路は出力電圧Ｖｍが目標電圧を保つようにスイ
ッチ素子を周期的にオンオフさせる際のオンデューティが可変制御される。直流電力を太
陽電池８から得る際にはこの太陽電池８の発電電力（入力電流Ｉｉと入力電圧Ｖｉとの積
）が最大に至るように目標電圧Ｖｍの値を可変制御するＭＰＰＴ（Ｍａｘｉｍｕｍ  Ｐｏ
ｗｅｒ  Ｐｏｉｎｔ  Ｔｒａｃｋｉｎｇ）制御が行われる。尚、蓄電池などを用い、その
出力電圧が安定している際は目標電圧Ｖｍを固定値とすることもできる。スイッチ素子３
２のオンオフ動作については後述する。  
【００１７】
インバータ回路４は、複数のインバータ用のスイッチ素子４１〜４４を有し、スイッチ素
子４１、４２を順に直列に接続した直列回路と、スイッチ素子４３、４４を順に直列に接
続した直列回路とを並列に接続した単相のブリッジ回路から成る。２つの直列回路の一方
の接続点が昇圧回路３のダイオード３３の他端（コンデンサ３４の出力）へ接続され、２
つの直列回路の他方の接続点が昇圧回路３のスイッチ素子３２の他端に接続される。尚、
インバータ回路４は直流を交流（高周波でチョッピングされた疑似正弦波）に変換するも
のであれば、中性点クランプ方式（ＮＰＣ方式）や階調インバータなど多レベルインバー
タの回路を用いても良いものである。また、単相に限らず三相などの多相ブリッジ回路を
用いれば多相の交流電力への変換も可能である。  
【００１８】
これらのスイッチ素子４１〜４４は、所定の周波数（第２の周波数）の搬送波と商用電力
系統２に同期した周波数の変調波とを用いたＰＷＭ（Ｐｕｌｓｅ  Ｗｉｄｔｈ  Ｍｏｄｕ
ｌａｔｉｏｎ）方式に基づくオンオフ信号で駆動される。尚ＰＷＭ方式は搬送波と変調波
とを直接比較するのみならず演算による直接計算や予め算出したデータによるルックアッ
プテーブルを用いても良いものである。スイッチ素子４１〜４４のオンオフ動作について
は後述する。  
【００１９】
フィルタ回路５は、インバータ回路４と商用電力系統２との間に接続され、インバータ回
路４の出力する交流電力の高周波成分を減衰して正弦に近い波形とするローパスフィルタ
を構成している。この波形は交流電力としてリレーを介して商用電力系統２に重畳させら
れる。具体的にフィルタ回路５は、スイッチ素子４１、４２の間、及びスイッチ素子４３
、４４の間から延びる一対のライン上に設けられる交流リアクトル（フィルタ用のコイル
）５１ａ、５１ｂと、この交流リアクトルの商用電力系統２側を接続するコンデンサ５２
とから成る。交流リアクトル５１ａ、５１ｂは所定のインダクタンスを持つように同じコ
ア材に巻かれたコイルであり筐体に熱伝導性（放熱性）をもって取り付けられている。従
って、交流リアクトル５１ａ、５１ｂは筐体へ放熱を成すことができると共に、振動も筐
体へ伝達することになる。  
【００２０】
制御回路６は、パルス信号（オンオフ信号）Ｓ１、Ｓ２ａ、Ｓ２ｂを生成し、パルス信号
Ｓ１（第１パルス信号）で昇圧回路３のスイッチ素子３２のオンオフ動作を制御し、パル
ス信号Ｓ２ａ、Ｓ２ｂ（第２パルス信号）でインバータ回路４のスイッチ素子４１〜４４
のオンオフ動作を制御する。尚、パルス信号Ｓ２ｂはパルス信号Ｓ２ａを反転したものを
用いることができるので、以下の説明はパルス信号Ｓ２ａを中心に説明する。図２に示す
ように、制御回路６は、演算部６１、第１パルス信号生成回路６２、第２パルス信号生成
回路６３、第１搬送信号Ｃ１を生成する第１搬送信号生成回路６４、第２搬送信号Ｃ２を
生成する第２搬送信号生成回路６５を有している。  
【００２１】
図３（ｃ）に示すパルス信号Ｓ１は、同図（ｂ）に示す所定の周期ｈｐ１（第１の周波数
）の搬送波（第１搬送波信号）Ｃ１と第１信号ｔ１とを変調（大小を比較）したものであ
る。同図（ｆ）は同図（ｃ）の一部拡大図であり、周期ｈｐ１中にオン信号部分がある。
このオン信号は周期ｈｐ１毎にオンオフを繰り返すパルス信号であり、パルス信号Ｓ１と
してスイッチ素子３２へ与えられる。この信号でスイッチ素子３２がオンオフを繰り返す
動作を行い、直流リアクトル（昇圧用のコイル）３１へ電流を間欠通電し、ダイオード３
３、コンデンサ３４と共に直流電圧の昇圧を行う。この昇圧比（昇圧量）は、図３（ｂ）
に示す第１信
号ｔ１の大きさ（レベル）を変えて周期ｈｐ１内のオン（ＯＮ）時間（オンデューティ）
を変えて行うことができる。制御回路６は、太陽電池の出力が最大になるようにパルス信
号Ｓ１のオン時間（オンデューティ）を制御する。尚、直流リアクトル３１が間欠通電さ
れることによりこの直流リアクトル３１のコイルが周期ｈｐ１に応じて振動しこの振動が
筐体へ伝達され周囲に放出される。この振動はコンデンサ３４に残るリップル分の電圧変
動に応じて大きさが左右されるものである。  
【００２２】
第１信号ｔ１は、演算部６１で昇圧回路３への入力電流Ｉｉ及び入力電圧Ｖｉから演算さ
れた電力Ｐが最大に至るように変更される。  
【００２３】
演算部６１による第１信号ｔ１の制御は次のように行われる。演算部６１は、前回、第１
信号ｔ１（大きさを表す値）を増やしたか減らしたかを記憶しており、電力Ｐが増加した
際は前回と同じ方向に第１信号ｔ１を調整する（前回、第１信号ｔ１を増やしていた場合
、第１信号ｔ１を増やし、減らしていた場合、第１信号ｔ１を減らす）。また、前回電力
Ｐが減少した際には、前回と反対方向に第１信号ｔ１を調整する（前回、第１信号ｔ１を
増やしていた場合、第１信号ｔ１を減らし、減らしていた場合、第１信号ｔ１を増やす）
。  
【００２４】
図３（ｂ）に第１信号ｔ１及び第１搬送信号Ｃ１（連続して三角波状に繰り返して変化す
る値）のタイムチャートを示す。また、図３（ｃ）にパルス信号Ｓ１のタイムチャートを
示す。演算部６１により第１信号ｔ１が生成されると、第１パルス信号生成回路６２が第
１信号ｔ１と第１搬送信号Ｃ１とを用いて第１パルス信号Ｓ１を制御する（生成する）。
この際に、第１パルス信号生成回路６２は、第１信号ｔ１と第１搬送信号Ｃ１との大きさ
を比較して、第１搬送信号Ｃ１よりも第１信号ｔ１が大きい場合にオフ（Ｌｏｗ）にし第
１搬送信号Ｃ１よりも第１信号ｔ１が小さい場合にオン（Ｈｉｇｈ）になるようにパルス
信号Ｓ１を生成する。従って、パルス信号Ｓ１は、第１信号ｔ１の大きさによってパルス
幅（スイッチ素子のオン時間）が制御され、その周期Ｈｐ１は第１搬送信号Ｃ１の周期ｈ
１と同じになる。  
【００２５】
パルス信号Ｓ２ａ、Ｓ２ｂ（パルス信号Ｓ２ａを反転した信号）は、所定の周期Ｈｐ２毎
にオンオフを繰り返すパルス信号であり、スイッチ素子４１〜４４はパルス信号Ｓ２ａ、
Ｓ２ｂに応答してオンオフを繰り返す。図３（ａ）に商用電力系統２の系統電圧Ｖｏのタ
イムチャートを示し、図３（ｅ）に夫々パルス信号Ｓ２ａのタイムチャートを示す。図３
（ｇ）は同図（ｅ）の一部拡大図である。これらの図に示すように、パルス信号Ｓ２ａは
、系統電圧Ｖｏと同期する周波数の指令信号（変調波）ｔ２と第２搬送信号Ｃ２との大小
比較の結果である。また、パルス信号Ｓ２ｂはパルス信号Ｓ２ａを反転した値である。  
【００２６】
パルス信号Ｓ２ａは、スイッチ素子４１、４４へ入力され、パルス信号Ｓ２ｂは第２スイ
ッチ素子４２、４３へ入力される。これによりインバータ回路４は、第２スイッチ素子４
１、４４と第２スイッチ素子４２、４３とを交互にオンオフ動作することによって直流電
力を交流電力に変換する。尚、スイッチ素子４１〜４４をオンオフ駆動するパルス信号Ｓ
２ａ、Ｓ２ｂには同一の直列回路を構成するスイッチ素子が同時にオン状態に成らないよ
うにパルス信号の伝達を遅延させる構成を施しても良いものであり、またはパルス信号の
生成の際に調整しても良いものである。  
【００２７】
パルス信号Ｓ２ａ、Ｓ２ｂのオンオフの繰り返しは、出力電流の指令信号（指令信号は時
系列に系統電圧Ｖｏと同期する正弦波状の波形となる）を演算部６１で演算し、第２パル
ス信号生成回路６３で第２搬送信号Ｃ２と指令信号ｔ２（第２信号）との大小を比較して
行う。  
【００２８】
パルス信号Ｓ２ａは、第２搬送信号Ｃ２よりも指令信号ｔ２が大きい場合はオフ（Ｌｏｗ
）とし、第２搬送信号Ｃ２よりも指令信号ｔ２が小さい場合はオン（Ｈｉｇｈ）となるよ
うに生成される。  
【００２９】
この様にして、系統の交流波形に周波数が同期するようにパルス信号Ｓ２ａ、Ｓ２ｂでイ
ンバータ用のスイッチ素子４１〜４４のオンオフ動作を制御する。尚、無効電力を制御す
る際はこの同期のタイミングをずらし行うこともできる。また、この様にして、パルス信
号Ｓ２ａ、Ｓ２ｂは生成されるため、パルス信号の周期はこの搬送波の周期と同じ周期と
なり、パルス信号Ｓ２ａ、Ｓ２ｂのパルス幅（オンデューティ）は指令信号ｔ２の振幅に
同期して増減するようになる。  
【００３０】
尚、第１信号ｔ１、パルス信号Ｓ１、指令信号ｔ２、及びパルス信号Ｓ２ａ、Ｓ２ｂは、
マイコン内にて演算されても良いし、アナログ回路等により生成されても良い。また、事
前に演算したデータとルックアップテーブルから取り出すようにしても良い。  
【００３１】
本実施例の電力変換装置１は、操作部７により電力変換装置１（昇圧回路３及びインバー
タ回路４）を変換効率の良いパワーモード（第１モード）により動作させるか、音の静か
な静音モード（第２モード）により動作させるかをユーザが手動で選ぶことができる。  
【００３２】
操作部７は、有線或いは無線により制御回路６と通信が可能に構成されている。また、図
４に示すように、操作部７は、表示部７１、パワーモードにより動作することを選択する
ための第１ボタン７２、静音モードにより動作することを選択するための第２ボタン７３
、及び電力変換装置１の運転／停止を操作するための第３ボタン７４と、を有している。
【００３３】
表示部７１には、現在どのモードにて動作しているかが表示される。ここでは、動作モー
ドを示す文字が太線で囲われている。また、表示部７１には、太陽電池８の発電電力など
も同時に表示することができる。パワーモード（第１搬送信号生成回路６４、第２搬送信
号生成回路６５が図２に示す状態に選択されている場合）では第１搬送信号生成回路６４
の出力する第１信号ｔ１が８ＫＨｚ（周期０．１２５ｍｓｅｃ）に設定され、第２搬送信
号生成回路６５の出力する指令信号ｔ２が１１ＫＨｚ（周期０．０９ｍｓｅｃ）に設定さ
れている。このパワーモードが選択された際には、パルス信号Ｓ１の周期よりもパルス信
号Ｓ２ａ、Ｓ２ｂの周期が短くなるように（パルス信号Ｓ２ａ、Ｓ２ｂの周期が高くなる
ように）設定される。搬送波信号の周波数はこの値に限るものではなく、例えば１０ＫＨ
ｚ、１３ＫＨｚ、１５ＫＨｚなど第１信号ｔ１の周波数より高ければ良い。
【００３４】
第１信号ｔ１の周波数は、例えばスイッチ素子３２にＦＥＴを用いた場合、その特性から
第１信号ｔ１の周波数を８ＫＨｚ程度とすれば変換効率が良い。しかし、この第１信号ｔ
１の周波数はこれに限るものではなくＭＯＳＦＥＴ、ＩＧＢＴ、ＳｉＣトランジスタなど
の異なるスイッチ素子を用いる際は、用いるスイッチ素子の特性に合わせて変換効率の良
くなる周波数を用いればよい。指令信号ｔ２の周期を第１信号ｔ１と同じにした場合、イ
ンバータ回路４の変換効率が良くなる反面、スイッチ素子３２と合わせて周囲に放射され
る騒音量が大きくなる。
【００３５】
第１信号ｔ１の周波数より指令信号ｔ２の周波数を高くすることにより、その差分の周波
数に基づく回数分昇圧回路３のスイッチ素子３２のオンオフ回数が増加しスイッチング損
失も増加する。しかし、周波数が上がる分、交流電力（正弦波）に重畳されるリップル成
分の電圧変動量（波形の歪量）はフィルタ回路５によって小さくなる。従って、周囲に放
射される騒音の音圧が下がりその分全体の騒音量が抑制される。また、指令信号ｔ２の周
波数が高いため、個人差はあるが、この周波数が聞こえにくい利用者が現れ総合的に騒音
の抑制効果が期待できるものである。周波数の高さに応じて騒音抑制効果は大きくなるの
で適に設定することができる。昇圧回路３に用いるスイッチ素子の数よりインバータ回路
４に用いるスイッチ素子の数が多いため、第１信号ｔ１の周波数より指令信号ｔ２の周波
数を高くすることのよって騒音の抑制効果が生じやすくなるものである。  
【００３６】
静音モードが選択された際にはパルス信号Ｓ１の周期とパルス信号Ｓ２ａ、Ｓ２ｂの周期
が実質的に同じになるように設定する（第１、第２搬送信号の周期を変更する）。静音モ
ード（第１搬送信号生成回路６４、第２搬送信号生成回路６５が図２に示す状態と反対の
状態に選択されている場合）では第１搬送信号生成回路６４の出力する第１信号ｔ１の周
波数と指令信号ｔ２の周波数とを１５ＫＨｚ（周期０．０６７ｍｓｅｃ）に設定する。こ
の周波数は、個人差はあるが、ある程度の数の利用者には聞き取りにくい周波数であり、
静音効果が期待できる周波数である。尚、スイッチング損失との兼ね合いが良ければさら
に高い周波数でも良いものである。この場合、夫々の周波数が高くなる分オンオフの際の
スイッチング損失が増加するが、静音効果が優先して期待できるものである。  
【００３７】
本実施例では、図４に示すように、第１搬送信号生成回路６４、第２搬送信号生成回路６
５に複数の周波数の異なる搬送信号発生回路６４ａ、６４ｂ、６５ａ、６５ｂをもたせ、
切換回路６４ｃ、６５ｃにより第１パルス信号生成回路６２、第２パルス信号生成回路６
３へ第１搬送信号Ｃ１、第２搬送信号Ｃ２を送る搬送信号発生回路を選択できるようにし
ている。  
【００３８】
昇圧回路３のスイッチ素子３２やインバータ回路４のスイッチ素子４１〜４４は、オンオ
フ動作を行うとこの影響により出力側にノイズを含むものになる。しかし、昇圧回路３に
ついては、出力側に設けられるコンデンサ３４が実質的にローパスフィルタの役目を果た
すため、インバータ用のスイッチ素子４１〜４４と比べてオンオフ動作の周期を小さくし
てもインバータ回路から出力されるノイズに与える影響は小さい。  
【００３９】
従って、本実施例のように、昇圧回路３へ与えられる第１パルス信号の周期（昇圧回路３
のオンオフ動作の周期）よりも第２パルス信号の周期（インバータ回路のオンオフ動作の
周期）を短くすることにより、インバータ回路の出力側のノイズを低減しつつも、昇圧回
路３のスイッチング損失を抑えることができる。  
【００４０】
また、騒音は直流リアクトル３１やフィルタ回路５の交流リアクトルが昇圧回路の第１ス
イッチ素子３２のオンオフ動作及びインバータ回路の第２スイッチ素子４１〜４４のオン
オフ動作により、これらのオンオフ動作の周波数（周期）とほぼ同じ周波数（周期）で振
動し、この振動が音となって外部へ伝わる。この音は周波数が高くなるほど聞こえづらく
なるので、本実施例のように、第１パルス信号の周期及び第２パルス信号の周期を変更可
能として、パワーモードと静音モードにより動作することにより、パワーモードで音が気
になる場合（オンオフ動作の周期が大きい場合）は静音モードにより静かに動作させる（
オンオフ動作の周期を小さくする）ことができる。  
【００４１】
以上、本発明の一実施形態について説明したが、以上の説明は本発明の理解を容易にする
ためのものであり、本発明を限定するものではない。本発明はその趣旨を逸脱することな
く、変更、改良され得ると共に本発明にはその等価物が含まれることは勿論である。
【産業上の利用可能性】
【００４２】
本実施形態の電力変換装置は、太陽電池８を含む太陽電池システム等としても利用するこ
とができる。また、本実施形態の電力変換装置は、単相の交流電力を出力するものである
が、三相の交流電力を出力するものにも適用することができる。
【符号の説明】
【００４３】
１    電力変換装置  ２    商用電力系統  ３    昇圧回路  ４    インバータ回路  ５
フィルタ回路  ６    制御回路  ７    操作部  ８    太陽電池  ３１  直流リアク
トル  ３２  スイッチ素子  ３３  ダイオード  ３４  コンデンサ  ４１、４２、４３、
４４  スイッチ素子  ６１  演算部  ６２  第１パルス信号生成回路  ６３  第２パルス
信号生成回路  ６４  第１搬送信号生成回路  ６５  第２搬送信号生成回路  ｔ１  第１
信号  ｔ２  指令信号  Ｃ１  第１搬送信号  Ｃ２  第２搬送信号  Ｓ１  パルス信号  
Ｓ２ａ、Ｓ２ｂ  パルス信号
【図１】
2015188299.tif 000003
【図２】
2015188299.tif 000004
【図３】
2015188299.tif 000005
【図４】
2015188299.tif 000006